(57)【要約】      （修正有）【課題】車両用ヘッドレスト多機能ディスプレイを提供する。【解決手段】ヘッドレスト体１０、ヘッドレストスクリーンフレーム、ＬＥＤタッチスクリーン１１、主ドライブパネル、タッチ制御パネル、ｗｉｆｉ受信モジュール、接続線からなる。ヘッドレスト体１０の中央部分にはユーザーが携帯電話を置くのに便利なように携帯電話専用ポケット２０が有り、ヘッドレストスクリーンフレームの左下方には、それぞれＵＳＢ１７及びＨＤＭＩ１８である２つの入力インターフェースが設けられており、映像、音楽、画像等複数のマルチメディアアーカイブをそのまま再生するよう支援し、内部にＬＥＤタッチスクリーンを設置しており、ＬＥＤタッチスクリーン下面にはタッチ制御パネルとｗｉｆｉ受信モジュールとを接続線を介して接続する主ドライブパネルがあり、スマートフォン内の映像、画像データをｗｉｆｉ無線により伝送し、ｗｉｆｉ受信モジュールを介してデジタル信号を、ＨＤＭＩ接続線により主ドライブパネルに伝送でき、ヘッドレストスクリーンにおいて鑑賞可能となる。【選択図】図１
0003201253.tif 000002
【実用新案登録請求の範囲】
【請求項１】
自動車の背もたれ上方におけるヘッドレスト位置に取り付けられ、
ヘッドレスト体を含み、その内部にヘッドレストスクリーンフレームが設けられ、下面にＬＥＤタッチスクリーンがあり、タッチ制御パネルとｗｉｆｉ受信モジュールとを接続線を介して主ドライブパネルに接続して動作させれば、スマートフォン内の映像、画像データをｗｉｆｉ無線によりｗｉｆｉ受信モジュールに伝送できて、ヘッドレストスクリーンにおいてスマートフォン内の映像、画像データを鑑賞可能となり、主ドライブパネルの入力インターフェースはＡＶ、ＲＧＢ、ＨＤＭＩ、ＶＧＡ、ＵＳＢを有して、ユーザーの使用に便利なよう複数の入力インターフェースを提供し、内部のＡｎｄｒｏｉｄ支援システムは、同時にｗｉｆｉを通じてスマートフォン３Ｇに接続してインターネットにアクセスし、簡単にインターネットの世界を閲覧可能とする、ことを特徴とする車両用ヘッドレスト多機能ディスプレイ。
【請求項２】
内部にｗｉｆｉ受信モジュールが設けられ、当該ｗｉｆｉ受信モジュールがヘッドレスト体内の位置に設置されると、スマートフォン内の映像、画像データがｗｉｆｉ無線により伝送したデジタル信号を、ＨＤＭＩ接続線を介して主ドライブパネルに伝送でき、ヘッドレストスクリーンにおいてスマートフォン内の映像、画像データを鑑賞可能となる、請求項１記載の車両用ヘッドレスト多機能ディスプレイ。
【請求項３】
ＡＶ、ＲＧＢ、ＨＤＭＩ、ＶＧＡ、ＵＳＢを有する主ドライブパネルの入力インターフェースを内部に設け、ユーザーの使用に便利なよう複数の入力インターフェースを提供し、内部のＡｎｄｒｏｉｄ支援システムは、同時にｗｉｆｉを通じてスマートフォン３Ｇに接続してインターネットにアクセスし、簡単にインターネットの世界を閲覧可能とする、請求項１記載の車両用ヘッドレスト多機能ディスプレイ。
【請求項４】
ヘッドレスト体は、両側のファスナーを全開するとスクリーン保護カバーが下側に開放され、スクリーン保護カバーの中央部分に、ユーザーが携帯電話を置くのに便利なように携帯電話専用ポケットが１つ設けられている、請求項１記載の車両用ヘッドレスト多機能ディスプレイ。
【請求項５】
ヘッドレストスクリーンフレームの左下方には、それぞれＵＳＢ及びＨＤＭＩである２つの入力インターフェースが設けられており、映像、音楽、画像等複数のマルチメディアアーカイブをそのまま再生するよう支援し、生活におけるあらゆる楽しみを家人と簡単に共有することを可能とする、請求項１記載の車両用ヘッドレスト多機能ディスプレイ。
【考案の詳細な説明】
【技術分野】
【０００１】
本考案は自動車背もたれ上方部に設置する車両用ヘッドレスト多機能ディスプレイに関するもので、後部座席にお座りの方にご利用いただくことが出来る。
また、ヘッドレストの内側のカバー中央部には手の自由を効かせることができるように、スマートフォン入れを設置する。なお、画像データをメインドライバボード入力インターフェースはＡＶ、ＲＧＢ、ＨＤＭＩ、ＶＧＡ、ＵＳＢを支援しており、スマートフォンの映像を簡単に、ＷｉＦｉ無線伝送を介して、Ａｎｄｒｏｉｄシステムで操作することが出来る。
無線ＬＡＮと３Ｇスマートフォンを介することで、小さな画面に限定されることを解消し、目の疲れや手のしびれを引き起こすことなく、気軽にインターネットに接続する環境をお楽しみ頂ける、９−１２インチの多機能ディスプレイならではの機能となっている。
【背景技術】
【０００２】
現在、ヘッドレストディスプレイといえば、自動車工場の大部分において７インチのヘッドレストディスプレイが装備されているが、一般的なビデオ画像鑑賞にしか使用することが出来ない。
したがって、どのようにして高画質ビデオおよび多機能ディスプレイの種類を設計するか、ケースの設計はどうするべきかが大きな問題となる。
【考案の概要】
【０００３】
一般の車両用ヘッドレスト多機能ディスプレイは、ビデオの映像のみを表示し、他の機能で利用することはできない。  
【０００４】
本考案は、ヘッドレスト体、ＬＥＤタッチスクリーン、主ドライブパネル、タッチ制御パネル、携帯電話専用ポケット、スクリーン保護カバー、ヘッドレストスクリーンフレームを含む、多機能ディスプレイの画像表示装置を提供し、スクリーン表面下のヘッドレストフレームの内部に搭載された制御パネル、無線ＬＡＮ受信モジュール、ＵＳＢ接続線、ＨＤＭＩ接続線は、ＬＥＤタッチスクリーン、タッチ制御パネルと、主ドライブパネルを接続し、
デジタル信号を伝達する受信機のＷｉＦｉなどメインモジュールプレートに接続されたＨＤＭＩ接続線を介してディスプレイを効果的に接続し、
無線ＬＡＮ受信モジュール基板を通して、スマートフォンデータのデジタル化をすることができ、画像データは、画面ヘッドレスト上に表示される。メインドライバボードの入力インターフェースは、ＡＶ、ＲＧＢ、ＨＤＭＩ、ＶＧＡ、ＵＳＢを支援し、Ａｎｄｒｏｉｄシステムを用いて簡単にオンラインの世界とスマートフォンの３Ｇとを移動無線ＬＡＮを介し、インターネットに接続することができる。
これは、９−１２インチのＨＤパネルでのみ、多機能ディスプレイ高品質な効果を利用できる。
【図面の簡単な説明】
【０００５】
【図１】車両用ヘッドレスト多機能ディスプレイの立体図である。
【図２】本考案の側面図である。
【図３】本考案の立体分解図である。
【図４】本考案の使用状態の概略図である。
【考案を実施するための形態】
【実施例】
【０００６】
本考案は車両用ヘッドレスト多機能ディスプレイを提供し、該車両用ヘッドレスト多機能ディスプレイは、最下方部に背もたれに差し込むための２つのヘッドレストプランジャー２３を有するヘッドレスト体１０と、（図１、図２、図３を参照）。スクリーン保護カバーファスナー２２の両側のファスナーを全開すると下側に開放されるスクリーン保護カバー２１と、該スクリーン保護カバー２０の中央部分に設置されたスマートフォン専用ポケット２０とを含み、
ヘッドレストスクリーンフレーム１９の左下には、ＵＳＢ１７とＨＤＭＩ１８の２つの入力インターフェースが設置され、簡単にビデオ、音楽、写真、その他のマルチメディアファイルを直接再生でき、すべての楽しみを家庭と共有することができる。ＬＥＤタッチスクリーン１１の下側には、主ドライブパネルがあり、タッチ制御パネル１３をＵＳＢ接続線１６を介して、主ドライブパネル１２に接続し、タッチスクリーンの操作に利用され、ｗｉｆｉ受信モジュール１４は、ＨＤＭＩ接続線１５を介して、主ドライブパネル１２と接続し、スマートフォンのｗｉｆｉを使用してデジタル信号を伝送し、ｗｉｆｉ受信モジュール１４を介して主ドライブパネルを経由し、ＬＥＤタッチスクリーン１１に伝送され、スマートフォン内の映像、画像データを鑑賞可能となる。主ドライブパネル１２の入力インターフェースは、ＡＶ、ＲＧＢ、ＨＤＭＩ、ＶＧＡ、ＵＳＢを提供し、内部のＡｎｄｒｏｉｄ支援システムは、同時にｗｉｆｉを通じてスマートフォン３Ｇ接続してインターネットに接続することができる。  
以上は本考案の好ましい実施例にすぎず、本考案の実施範囲を限定する主旨ではない。本考案の登録請求の範囲に基づく等価の変更及び補足は、いずれも本考案における登録請求の範囲に包含される。
【符号の説明】
【０００７】
１０  ヘッドレスト体
１１  ＬＥＤタッチスクリーン
１２  主ドライブパネル
１３  タッチ制御パネル
１４  ｗｉｆｉ受信モジュール
１５  ＨＤＭＩ接続線
１６  ＵＳＢ接続線
１７  ＵＳＢインターフェース
１８  ＨＤＭＩインターフェース
１９  ヘッドレストスクリーンフレーム
２０  携帯電話専用ポケット
２１  スクリーン保護カバー
２２  スクリーン保護カバーファスナー
２３  ヘッドレストプランジャー
【図１】
0003201253.tif 000003
【図２】
0003201253.tif 000004
【図３】
0003201253.tif 000005
【図４】
0003201253.tif 000006
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
自動車の背もたれ上方におけるヘッドレスト位置に取り付けられ、
ヘッドレスト体を含み、その内部にヘッドレストスクリーンフレームが設けられ、下面にＬＥＤタッチスクリーンがあり、タッチ制御パネルとｗｉｆｉ受信モジュールとを接続線を介して主ドライブパネルに接続して動作させれば、スマートフォン内の映像、画像データをｗｉｆｉ無線によりｗｉｆｉ受信モジュールに伝送できて、ヘッドレストスクリーンにおいてスマートフォン内の映像、画像データを鑑賞可能となり、主ドライブパネルの入力インターフェースはＡＶ、ＲＧＢ、高精細度マルチメディアインターフェース、ＶＧＡ、ＵＳＢを有して、ユーザーの使用に便利なよう複数の入力インターフェースを提供し、内部の携帯電話式タブレット支援システムは、同時にｗｉｆｉを通じてスマートフォン３Ｇに接続してインターネットにアクセスし、簡単にインターネットの世界を閲覧可能とする、ことを特徴とする車両用ヘッドレスト多機能ディスプレイ。
【請求項２】
内部にｗｉｆｉ受信モジュールが設けられ、当該ｗｉｆｉ受信モジュールがヘッドレスト体内の位置に設置されると、スマートフォン内の映像、画像データがｗｉｆｉ無線により伝送したデジタル信号を、高精細度マルチメディアインターフェース接続線を介して主ドライブパネルに伝送でき、ヘッドレストスクリーンにおいてスマートフォン内の映像、画像データを鑑賞可能となる、請求項１記載の車両用ヘッドレスト多機能ディスプレイ。
【請求項３】
ＡＶ、ＲＧＢ、高精細度マルチメディアインターフェース、ＶＧＡ、ＵＳＢを有する主ドライブパネルの入力インターフェースを内部に設け、ユーザーの使用に便利なよう複数の入力インターフェースを提供し、内部の携帯電話式タブレット支援システムは、同時にｗｉｆｉを通じてスマートフォン３Ｇに接続してインターネットにアクセスし、簡単にインターネットの世界を閲覧可能とする、請求項１記載の車両用ヘッドレスト多機能ディスプレイ。
【請求項４】
ヘッドレスト体は、両側のファスナーを全開するとスクリーン保護カバーが下側に開放され、スクリーン保護カバーの中央部分に、ユーザーが携帯電話を置くのに便利なように携帯電話専用ポケットが１つ設けられている、請求項１記載の車両用ヘッドレスト多機能ディスプレイ。
【請求項５】
ヘッドレストスクリーンフレームの左下方には、それぞれＵＳＢ及び高精細度マルチメディアインターフェースである２つの入力インターフェースが設けられており、映像、音楽、画像等複数のマルチメディアアーカイブをそのまま再生するよう支援し、生活におけるあらゆる楽しみを家人と簡単に共有することを可能とする、請求項１記載の車両用ヘッドレスト多機能ディスプレイ。